(57)【要約】      （修正有）【課題】パイル編みのシンカー乗せ編みの編み組織の特性をさらに改善し、より優れた性能が得られるようにした編成体を提供する。【解決手段】編み糸とゴム糸又は弾性糸とでもって編成してなる編成体において、編み糸３０，３１をパイル編みのシンカー乗せ編みにて編成するとともに、ゴム糸３２又は弾性糸を２コースに１回ずつウェール方向に１目ないし３目飛ばして編み込む。編み糸とゴム糸又は弾性糸とでもって編成され、身体に着用される筒状編成体において、連続した筒状に編成されて折り返されることにより外層及び内層の二重構造に構成し、外層及び内層を編み糸をパイル編みのシンカー乗せ編みにて編成するとともに、ゴム糸又は弾性糸を２コースに１回ずつウェール方向に１目ないし３目飛ばして編み込むこともできる。【選択図】図３
2017133113.tif 000002
【特許請求の範囲】
【請求項１】
編み糸とゴム糸又は弾性糸とでもって編成してなる編成体において、
編み糸（３０，３１）がパイル編みのシンカー乗せ編みにて編成されているとともに、ゴム糸（３２）又は弾性糸が２コースに１回ずつウェール方向に１目ないし３目飛ばして編み込まれていることを特徴とする編成体。
【請求項２】
編み糸とゴム糸又は弾性糸とでもって編成され、身体に着用される筒状の編成体において、
連続した筒状に編成されて折り返されることにより外層（１１）及び内層（１２）の二重構造に構成されており、
その外層（１１）及び内層（１２）は編み糸がパイル編みのシンカー乗せ編みにて編成されているとともに、ゴム糸又は弾性糸が２コースに１回ずつウェール方向に１目ないし３目飛ばして編み込まれていることを特徴とする編成体。
【請求項３】
編み糸とゴム糸又は弾性糸とでもって編成体を編成するにあたり、
編み糸（３０，３１）をパイル編みのシンカー乗せ編みにて編成するとともに、ゴム糸（３２）又は弾性糸を２コースに１回ずつウェール方向に１目ないし３目飛ばしながら編み込むようにしたことを特徴とする編成体の製造方法。
【請求項４】
編み糸とゴム糸又は弾性糸とでもって筒状の編成体を編成するにあたり、
連続した筒状に編成して折り返すことにより外層（１１）及び内層（１２）の二重構造となし、
その外層（１１）及び内層（１２）の編み糸をパイル編みのシンカー乗せ編みにて編成するとともに、ゴム糸又は弾性糸を２コースに１回ずつウェール方向に１目ないし３目飛ばしながら編み込むようにしたことを特徴とする編成体の製造方法。
【発明の詳細な説明】
【技術分野】
【０００１】
この発明はサポータ等の編成体及びその製造方法に関し、特にふんわりと包み込んで窮屈な装着感や苦痛感を感じることがなく、しかもずれが発生することのないようにした編成体及び製造方法に関する。
【背景技術】
【０００２】
例えば、足首や膝を保護するサポータは数多く市販されており、冷え症や関節部位に疾患のある者など広範囲にわたり利用されている。
【０００３】
従来、この種のサポータには各種の編み方で筒状に編成し、これを折り返して二重構造に構成したもの、編成した筒状編成体を二重に重ねたものなどが提案されている（特許文献１、特許文献２、特許文献３、特許文献４、特許文献５）。
【０００４】
しかし、従来の二重構造のサポータでは、ずれ防止のために全体又は大部分を装着部分に対してきつめとなるように構成すると、使用者は非常に窮屈な感じを抱き、屈伸動作も思うようにいかないことがある一方、逆にフィット感が気にならないくらいの装着感を得るように構成すると、ゆるめとなって使用時の動きに対してサポータのずれが回避し難いものであった。
【０００５】
これに対し、本願発明者は、編み糸とゴム糸又は弾性糸とでもって連続した筒状編成体を編成し、筒状編成体の半部を折り返すことにより、外層及び内層の二重構造となし、その外層及び内層をあぜ目１：１〜３：１のパイル編みのシンカー乗せ編みにて編成するようにしたサポータを提案するに至った（特許文献６）。
【先行技術文献】
【特許文献】
【０００６】
【特許文献１】特開２００６−３４２４６６号公報
【特許文献２】特開２００５−１７１４６０号公報
【特許文献３】実用新案登録第３０６７２６１号公報
【特許文献４】実用新案登録第３０５１３５２号公報
【特許文献５】実用新案登録第３０６８６１４号公報
【特許文献６】特開２００４−３１６０６４号公報
【発明の開示】
【発明が解決しようとする課題】
【０００７】
特許文献６記載のサポータではパイル編みのシンカー乗せ編みの編み組織の特性によって窮屈な装着感や苦痛感を感じることなく、足にピッタリとフィットしてずれの発生が少なく、優れた性能が得られることが確認された。
【０００８】
本発明は、かかる状況においてなされたもので、パイル編みのシンカー乗せ編みの編み組織の特性をさらに改善し、より優れた性能が得られるようにした編成体を提供することを課題とする。
【課題を解決するための手段】
【０００９】
そこで、本発明に係る編成体は、編み糸とゴム糸又は弾性糸とでもって編成してなる編成体において、編み糸がパイル編みのシンカー乗せ編みにて編成されているとともに、ゴム糸又は弾性糸が２コースに１回ずつウェール方向に１目ないし３目飛ばして編み込まれていることを特徴とする。
【００１０】
本発明の特徴はパイル編みのシンカー乗せ編みにおいて、ゴム糸又は弾性糸を２コースに１回ずつウェール方向に１目ないし３目飛ばして編み込むようにした点にある。
パイル編みのシンカー乗せ編みによる編み組織は伸縮弾性が小さく、伸びがパイル編みや平編みに比して２倍〜３倍以上にもなるが、パイル編みのシンカー乗せ編みにおいてゴム糸や弾性糸が編み込まれていないコースについては伸縮弾性がゴム糸や弾性糸がない分だけ小さくなる結果、全体をパイル編みのシンカー乗せ編みとした場合に比較して一層伸びやすくなる。
【００１１】
また、ゴム糸又は弾性糸をパイル編みのシンカー乗せ編みにおいて２コースに１回ずつウェール方向に１目ないし３目飛ばしながら編み込むようにしたのは、適度な伸縮弾性を確保するためであり、４目以上になると、伸縮弾性が小さくなり過ぎて使用に耐えないおそれがあるからである。
【００１２】
さらに、ゴム糸又は弾性糸をパイル編みのシンカー乗せ編みにおいて２コースに１回ずつ編み込むが、例えば３コースに１回では編成体の伸縮弾性が小さくなりすぎるので、２コースに１回編み込むようにした。
【００１３】
本発明に係る編成体はサポータなどの筒状編成体に適用すると、その効果が大きい。
すなわち、本発明に係る編成体は、編み糸とゴム糸又は弾性糸とでもって編成され、身体に着用される編成体において、連続した筒状に編成されて折り返されることにより外層及び内層の二重構造に構成されており、その外層及び内層は編み糸がパイル編みのシンカー乗せ編みにて編成されているとともに、ゴム糸又は弾性糸が２コースに１回ずつウェール方向に１目ないし３目飛ばして編み込まれていることを特徴とする。
【００１４】
パイル編みのシンカー乗せ編みの編み組織は伸びがパイル編みや平編みに比して２倍〜３倍以上にもなり、しかもパイル編みのシンカー乗せ編みにおいてゴム糸や弾性糸が編み込まれていないコースについては伸縮性がよくなり、全体をパイル編みのシンカー乗せ編みとした場合に比較して一層伸びやすくなる。
編み組織を二重構造にすると、その大きな伸び特性を維持したまま、全体として優れた伸縮弾性、従って適度でふんわりとして締め付け力を得ることができる。
その結果、小さな力で筒状編成体の全体が大きく伸びるので、手足の筋力が弱った老人や病人にも容易に履くことができ、又脱ぐ時にも簡単に脱ぐことができる。
また、筒状編成体の履口部にゴム糸を編み込んで履口部の締め付け力を大きくする必要はなく、履口の部位がきつく食い込んで苦痛を感じることもなくなる。なお、履口部は必要に応じて適度な伸縮弾性のゴム糸を編み込むこともできる。
【００１５】
また、上述の編成体の製造方法も斬新である。本発明に係る編成体の製造方法は、編み糸とゴム糸又は弾性糸とでもって編成体を編成するにあたり、編み糸をパイル編みのシンカー乗せ編みにて編成するとともに、ゴム糸又は弾性糸を２コースに１回ずつウェール方向に１目ないし３目飛ばしながら編み込むようにしたことを特徴とする。
【００１６】
また、本発明に係る編成体の製造方法は、編み糸とゴム糸又は弾性糸とでもって編成体を編成するにあたり、連続した筒状に編成して折り返すことにより外層及び内層の二重構造となし、その外層及び内層の編み糸をパイル編みのシンカー乗せ編みにて編成するとともに、ゴム糸又は弾性糸を２コースに１回ずつウェール方向に１目ないし３目飛ばしながら編み込むようにしたことを特徴とする。
【００１７】
パイル編みのシンカー乗せ編みによる編み生地は伸縮弾性が小さく、伸びがパイル編みや平編みに比して２倍〜３倍以上にもなるが、編み生地を二重構造にすると、その大きな伸び特性はほとんど損なわれず、しかも全体として適度な伸縮弾性、従って適度な締め付け力を得ることが可能である。
【００１８】
本発明はサポータに適用できるが、レッグウォーマー等にも適用できる。
【００１９】
本発明では編み糸の材質については特に限定されず、綿糸、綿アクリル混紡糸、毛糸、毛アクリル混紡糸、絹糸、絹アクリル混紡糸等を用いることができるが、外層の編み糸を綿糸、内層の編み糸を絹糸とすると、綿糸による優れた吸湿性と、絹糸による優れた吸湿・吸熱性とにより、夏期には着用していて涼しく、又二重構造をなす外層と内層との間には空気による断熱層が構成され、冬期には着用していて暖かい、という優れた着用感が得られる。
【００２０】
また、ゴム糸又は弾性糸を２コースに１回編み込むようにすると、コース毎に編み糸の種類や色を変えて編成することが可能となり、又二重構造とする場合には外層と内層で色を変えることもできる。
【図面の簡単な説明】
【００２１】
【図１】本発明に係る編成体の好ましい実施形態を示す図である。
【図２】パイル編みのシンカー乗せ編みを説明するための図である。
【図３】パイル編みのシンカー乗せ編みの編み組織の１例を示す図である。
【発明を実施するための最良の形態】
【００２２】
以下、本発明を図面に示す具体例に基づいて詳細に説明する。図１ないし図３は本発明に係る編成体の好ましい実施形態を示し、これはサポータに適用した例である。図において、サポータ１０は外層１１と内層１２の二重構造に構成され、外層１１は１本ないし２本の５番ないし１５番の綿糸を用い、パイル編みのシンカー乗せ編みにて編成されるとともに、１本の９０番ないし１００番のゴム糸を用いて２コースに１回ウェール方向に１目ないし３目飛ばしで編み込まれている。
【００２３】
他方、内層１２は１本ないし３本の５番ないし１５番の綿糸を用い、パイル編みのシンカー乗せ編みにて編成されるとともに、１本の９０番又は１００番のゴム糸が２コースに１回ウェール方向に１目ないし３目飛ばしで編み込まれている。
【００２４】
本例のサポータを製造する場合、編み機を用い、綿糸を用いて外層１１及び内層１２をパイル編みのシンカー乗せ編みとなるように編成するとともに、ゴム糸を２コースに１回ウェール方向に１目ないし３目飛ばしで編み込んで１本の筒状に編成する。得られた筒状編成体は２つに折り返すとともに、外層１１及び内層１２の開放部分を例えばナイロン糸とゴム糸によって縫合すると、本例のサポータ１０が得られる。
【００２５】
ここで、本例におけるパイル編みのシンカー乗せ編みを説明すると、図２の（ａ）に示されるように、パイル編みにおける編み糸３０、３１をシンカー４０の頭４１に乗せて編む一方、ゴム糸（又は弾性糸）３２は図２の（ｂ）に示されるように、通常のようにシンカー４０に引っ掛けて編む。
編み組織は例えば図３に示されるような組織となる。図３ではゴム糸３２を２コースに１回ウェール方向に３目飛ばして編み込んでいる。
【００２６】
他方、パイル編みを説明すると、編み糸（表糸）３０はシンカー４０の頭４１に乗せ、編み糸（裏糸）３１は乗せずに編成する一方、ゴム糸（又は弾性糸）３２はシンカー４０の頭に乗せずにコース方向に適当な目数を飛ばしながら編み込む。パイルの高さは図２の（ａ）における高さｔによって決まる。
従って、シンカー乗せ編みではパイル編みのようなパイルはできないが、伸縮弾性が小さく、パイル編みと同じ大きさでありながら、伸びが２倍ないし３倍と大きく、締付けが小さくなる。
【符号の説明】
【００２７】
１０      サポータ
１１      外層
１２      内層
３０，３１      編み糸
３２      ゴム糸
【図１】
2017133113.tif 000003
【図２】
2017133113.tif 000004
【図３】
2017133113.tif 000005